(57)【要約】【課題】ブロックと敷網材等の盛土中に埋設される水平補強材とを簡単に連結材で簡単に連結し施工の能率を向上するとともに、強度及び安定性の大きい補強土擁壁を実現する。【解決手段】横幅方向に複数のブロック８が配列されたブロック列９が上下方向に複数段積み上げられてブロック壁が構成され、ブロック８は、平面的に見てＴ字型に形成されており、その背部１１には横幅方向に張り出した係合部１３を有し、この係合部１３に連結材１４が連結し、この連結材１４に水平補強材１７の前端が取り付けられ、ブロック壁の背面側において水平補強材１７上に盛土６が盛られて補強土擁壁が形成される。【選択図】    図２
2004218265.tif 000002
【特許請求の範囲】
【請求項１】
ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、
上記ブロック壁は、その横幅方向に複数のブロックが配列されたブロック列が上下方向に複数段積み上げられて成り、
上記ブロックは、一定の厚みを有するとともに、前部、背部及び中間部とから形成されており、上記背部は、上記前部より横幅が小さく形成されており、
上記連結材は、左右の垂直部と、該左右の垂直部の下端が背面側に水平に折り返されて成るＵ型部とから構成され、上記左右の垂直部は上記ブロックの背部の左右の前面に係合しており、
上記水平補強材の前端は、上記Ｕ型部に取り付けられていることを特徴とする補強土擁壁。
【請求項２】
ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、
上記ブロック壁は、その横幅方向に複数のブロックが配列されたブロック列が上下方向に複数段積み上げられて成り、
上記ブロックは、一定の厚みを有するとともに、前部、背部及び中間部とから形成されており、上記背部は、上記前部より横幅が小さく形成されており、
上記連結材は、左右の垂直部と、該左右の垂直部の上端を橋絡する橋絡部と、左右の垂直部の下端に夫々形成された背面側に折り返されてなるフック部とから構成され、上記左右の垂直部は上記ブロックの背部の左右の前面に係合しており、
上記水平補強材の前端は、上記フック部に係合して取り付けられていることを特徴とする補強土擁壁。
【請求項３】
ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、
上記ブロック壁は、その横幅方向に複数のブロックが配列されたブロック列が上下方向に複数段積み上げられて成り、
上記ブロックは、一定の厚みを有するとともに、前部、背部及び中間部とから形成されており、上記ブロックの底には横幅方向に貫通された溝が形成されており、
上記連結材は、棒材又は管材から成り、上記ブロックの底に形成された溝に挿通されて係合し横幅方向に配置されており、
上記水平補強材の前端は、上記連結材に取り付けられていることを特徴とする補強土擁壁。
【請求項４】
ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、
上記ブロック壁は、その横幅方向に複数のブロックが配列されたブロック列が上下方向に複数段積み上げられて成り、
上記ブロックは、一定の厚みを有するとともに、前部、背部及び中間部とから形成されており、上記ブロックの底には横幅方向に貫通された溝が形成されており、
上記連結材は、杆材から成り、横幅方向に互いに隣接する一対のブロックの底に形成された溝に挿通されて係合して配置されており、
上記水平補強材の前端は、上記連結材に取り付けられていることを特徴とする補強土擁壁。
【請求項５】
上記水平補強材は、敷網材であることを特徴とする請求項１、２、３又は４記載の補強土擁壁。
【請求項６】
上記水平補強材は棒材、杆材又は管材であり、その背面側の端部は横幅方向に伸びるように配置された背面連結材に結合されていることを特徴とする請求項１、２、３又は４記載の補強土擁壁。
【発明の詳細な説明】
【０００１】
【発明の属する技術分野】
本発明は、道路擁壁、駐車場や工場等の敷地造成地の擁壁、土捨て場の擁壁、治山ダム、砂防ダムをはじめ多くの場所に適用される補強土擁壁に関する。
【０００２】
【従来の技術】
従来、道路擁壁、駐車場や工場等の敷地造成地の擁壁、土捨て場の擁壁、治山ダム、砂防ダム等に適用される補強土擁壁において、壁面材をエキスパンドメタル（網状の鋼製部材）を利用して施工する構成は知られている。
【０００３】
さらに、盛土構造において、板状ブロックの壁面材を使用し、上下ブロックの間には継手金具及びスライド式ジョイントを設け、且つ補強土中に埋め込んだアンカー部材とスライド式ジョイントを連結する構成は公知である（特許文献１参照。）
【０００４】
【特許文献１】
特開平１１−２５６５８０号公報（段落０００４、図１、２）
【０００５】
【発明が解決しようとする課題】
従来の壁面材としてエキスパンドメタルを利用する土擁壁では、田畑の近くで草が生えたりしてしまい、又、特許文献１で示される構造では、アンカー部材を板状ブロック壁面材に取り付けるために複数の部材が必要であり、さらに施工を簡単にするための余地があるものと考えられる。
【０００６】
ところで、壁面材としてコンクリートを用いた安価な土擁壁が施工できれば、見栄えもよいのであるが、コンクリートの擁壁は重量が重く、補強土壁と異なり、擁壁体の全量を搬入しなければならないという欠点がある。
【０００７】
本発明は、このような従来の問題を解決することを目的とするものであり、軽量のブロックを利用した、補強材との接続が簡単な構造で、安定且つ強度の大きな土擁壁を実現することを課題とする。
【０００８】
【課題を解決するための手段】
本発明は上記課題を解決するために、ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、上記ブロック壁は、その横幅方向に複数のブロックが配列されたブロック列が上下方向に複数段積み上げられて成り、上記ブロックは、一定の厚みを有するとともに、前部、背部及び中間部とから形成されており、上記背部は、上記前部より横幅が小さく形成されており、上記連結材は、左右の垂直部と、該左右の垂直部の下端が背面側に水平に折り返されて成るＵ型部とから構成され、上記左右の垂直部は上記ブロックの背部の左右の前面に係合しており、上記水平補強材の前端は、上記Ｕ型部に取り付けられていることを特徴とする補強土擁壁を提供する。
【０００９】
本発明は上記課題を解決するために、ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、上記ブロック壁は、その横幅方向に複数のブロックが配列されたブロック列が上下方向に複数段積み上げられて成り、上記ブロックは、一定の厚みを有するとともに、前部、背部及び中間部とから形成されており、上記背部は、上記前部より横幅が小さく形成されており、上記連結材は、左右の垂直部と、該左右の垂直部の上端を橋絡する橋絡部と、左右の垂直部の下端に夫々形成された背面側に折り返されてなるフック部とから構成され、上記左右の垂直部は上記ブロックの背部の左右の前面に係合しており、上記水平補強材の前端は、上記フック部に係合して取り付けられていることを特徴とする補強土擁壁を提供する。
【００１０】
本発明は上記課題を解決するために、ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、上記ブロック壁は、その横幅方向に複数のブロックが配列されたブロック列が上下方向に複数段積み上げられて成り、上記ブロックは、一定の厚みを有するとともに、前部、該前部より横幅が小さい背部及び中間部とから形成されており、上記ブロックの底には横幅方向に貫通された溝が形成されており、上記連結材は、棒材又は管材から成り、上記ブロックの底に形成された溝に挿通されて係合し横幅方向に配置されており、上記水平補強材の前端は、上記連結材に取り付けられていることを特徴とする補強土擁壁を提供する。
【００１１】
本発明は上記課題を解決するために、ブロック壁と、該ブロック壁に連結材で取り付けられ該ブロック壁を背面側で支持する水平補強材と、該ブロック壁の背面側において該水平補強材上に盛られた盛土とを備えて成る補強土擁壁であって、上記ブロック壁は、その横幅方向に複数のブロックが配列されたブロック列が上下方向に複数段積み上げられて成り、上記ブロックは、一定の厚みを有するとともに、前部、該前部より横幅が小さい背部及び中間部とから形成されており、上記ブロックの底には横幅方向に貫通された溝が形成されており、上記連結材は、杆材から成り、横幅方向に互いに隣接する一対のブロックの底に形成された溝に挿通されて係合して配置されており、上記水平補強材の前端は、上記連結材に取り付けられていることを特徴とする補強土擁壁を提供する。
【００１２】
上記水平補強材は、敷網材であることを特徴とする。
【００１３】
上記水平補強材は棒材、杆材又は管材であり、その背面側の端部は横幅方向に伸びるように配置された背面連結材に結合されていることを特徴とする。
【００１４】
【発明の実施の形態】
本発明に係る補強土擁壁の実施の形態を実施例に基づいて図面を参照し、以下に説明する。図１は、本発明に係る補強土擁壁１の全体構造を示す図である。この補強土擁壁１は、例えば、道路擁壁、駐車場や工場等の敷地造成地の擁壁、土捨て場の擁壁、治山ダム、砂防ダム、柵工等の各種の擁壁に適用されるものである。
【００１５】
本発明に係る補強土擁壁１は、底面地盤２上において、前面に複数のブロック３を横幅方向に配列してブロック列を形成して、その上に順次上方に向けて複数段ブロック列を積み上げてブロック壁４を形成するとともに、ブロック壁４の背面側（盛土を盛るので「盛土側」とも言うし、山間地の擁壁では山側でもあるから「山側」ともいう。）において底面地盤５上に、盛土６が盛られて構成される。
【００１６】
本発明では、各段のブロックに水平補強材７の前端を取り付けて、この水平補強材７を盛土内に埋設して固定し、ブロック壁４を支持して補強するとともに、水平補強材７によって、ブロック壁４に作用する土圧や、水平補強材７が土との摩擦によって作用される力を、一体となって受け、土圧を効果的に低減し盛土６をより安定させ、その構造を強化するものである。
【００１７】
本発明に係る補強土擁壁１におけるブロック３と水平補強材７の夫々の構造、及びブロック列に水平補強材７を取り付ける取付構造について、以下、実施例で詳細に説明する。
【００１８】
（実施例１）
図２は、実施例１を説明する図である。この実施例１のブロック壁は、複数のブロック８を横幅方向に配列してブロック列９を形成するとともに、ブロック列９を上下方向に複数段積み上げて形成されている。
【００１９】
ブロック８は、軽量のコンクリート製であり、上下方向に一定の厚みを有するとともに、図２（ａ）に示すように、前部１０、背部１１、及び前部１０と背部１１を橋絡する中間部１２とから平面的に見てＴ字型に形成されている。中間部１２は、前部１０及び背部１１より横幅が狭く形成されている。上記背部１１は、上記前部１０より横幅が小さく形成されており、その前面は後述するように連結材１４と係合する係合部１３として機能する。
【００２０】
段積みされたブロック列９の複数段（この実施例１では２段）又は各段において、ブロック８の係合部１３に、図２（ａ）に示すように、連結材１４が係合されている。この実施例１では２段の上下ブロック８の係合部１３に、図２（ｂ）に示すように、連結材１４が係合されている。なお、ブロック８の係合部１３及び底部のうち連結材１４と当接する面に連結材１４の太さに対応して連結材１４が係入する溝を形成しておいてもよい。
【００２１】
この連結材１４は、例えば鋼材で形成されており、左右の垂直部１５と、左右の垂直部１５の下端が背面側に水平に折り返されて成るＵ型部１６とから構成される。左右の垂直部１５は、この実施例１では上下方向にブロック８が２段の高さに相当するが、もちろんブロック８の１段の高さに相当するように構成されてもよい。
【００２２】
この連結材１４のＵ型部１６には、水平補強材１７の前端が掛けられて取り付けられている。左右の垂直部１５は上記ブロック８の係合部１３（背部１１の左右の前面）に係合している。
【００２３】
この実施例１で使用される水平補強材１７は、ジオテキスタイル、例えばテンサー（商品名）等の敷網材、金網又は帯状材を利用する。連結材１４のＵ型部１６に掛けられる水平補強材１７の前端は、水平補強材１７の前端の網目を構成する部分であり、この水平補強材１７のほぼ全体は盛土内に埋設される。
【００２４】
実施例１の補強土擁壁を施工する工法を、以下順を追って説明する。
（１）補強土擁壁を施工する底面地盤１７の前縁に沿って、水平補強材１７を取り付けた連結材１４を大体の位置にセットしておき、複数のブロック８を横幅方向に配置して最下段のブロック列９を形成する。このブロック列９を形成する際に、連結材１４の正確な位置をセットしていく。
【００２５】
（２）最下段のブロック列９を形成してから、その上に２段目のブロック列９を積み上げる。そして、図２（ｂ）に示すように、連結材１４を最下段及び２段目のブロック８の係合部１３に係合した状態にする。
【００２６】
この実施例１では、２段のブロック毎に連結材１４で水平補強材１７を取り付けているが、後述する実施例２、３に示すように１段のブロック毎に連結材１４で水平補強材１７を取り付けてもよい。そして、連結材１４又は水平補強材１７をブロック８とボルト等で締結してもよい。
【００２７】
（３）最下段のブロック列９の背後側の底面地盤１７上に水平補強材１７を敷設して、この水平補強材１７の上から、２段目のブロック列９の高さまで盛土６を盛る。これにより、最下段及び２段目のブロック列９が水平補強材１７でしっかりと補強されるとともに、水平補強材１７が盛土６との摩擦抵抗を生じ、盛土６の剪断方向の強度を向上させて安定させる。
【００２８】
（４）このようにして施工された２段目のブロック列９の上に、３段目のブロック列９を積み上げる。この３段目のブロック列９を積み上げる際に、最下段の場合と同様に、３段目のブロック８の係合部１３に連結材１４を係合する。そして、４段目のブロック列９を積み上げる。この際、３段目のブロック８に係合している連結材１４に４段目のブロック８の係合部１３を係合するように４段目のブロック８を積み上げる。
【００２９】
なお、ブロック８を空積みする場合は、このように上に順次ブロック列９を積み上げていけばよいが、上位のブロック列９を積み上げる前に、複数のブロック８の相互の間で形成される隙間１８にコンクリートを充填して、複数のブロック８を相互に強固に固定してもよい。
【００３０】
（５）３段目及び４段目のブロック列９についても、最下段及び２段目のブロック列９と同様に、下位の盛土上に水平補強材１７を敷設する。この水平補強材１７の上に３段目及び４段目の盛土６を盛る。このようにして、次々と上段のブロック列９及び水平補強材１７を配設し、盛土を行い、図１に示すような補強土擁壁１を施工する。連結材１４は、ブロック８の係合部１３と係合しているから、ブロック８から連結材１４がはずれることがなく、ブロック８を背面側引っ張るように支持補強する。
【００３１】
図３は、実施例１の第１の変形例を示す図である。この第１の変形例は、実施例１と基本的にはほぼ同じ構造であり、連結材１９をブロック８の係合部１３に係合させ、その連結材１９に水平補強材１７（ジオテキスタイル、例えばテンサー（商品名）等の敷網材、金網又は帯状材）の前端を取り付ける構成である。
【００３２】
なお、連結材１９の垂直部１５は、実施例１では上下２つの段のブロック８に係合しており、第１の変形例では１つの段のブロック８に係合しているが、これは単なる設計上の相違にすぎない。ここで、第１の変形例が実施例１と異なる点について説明する。
【００３３】
この第１の変形例が実施例１と異なる点は、図３に示すように、水平補強材１７（テンサー等）の前端の網目にブロック壁の横幅方向に伸びる鉄筋２０が挿通されて取り付けられている点である。この鉄筋２０は、連結材１９より前方に位置するように水平補強材１７の網目に挿通されており、連結材１９の下部前面に係合し抜け出ないようになっている。ブロック８の底面に後記する図４に示すような半円形の溝を設け、この中を鉄筋２０を挿通させると下段のブロックに当たらない。しかし、このような半円形の溝を設けないと、鉄筋２０が下段のブロックに当たるので、鉄筋２０の代わりに弾力性のあるプラスチックにすることが好ましい。又は、ブロック８が段毎に擁壁正面から見て左右方向にずれているので、鉄筋を短く切り、下段のブロックが鉄筋に接触しないようにしてもよい。
【００３４】
図４は、実施例１の第２の変形例を示す図である。この第２の変形例は、実施例１とほぼ同じ構造であり、連結材１９をブロック８の係合部１３に係合し、その連結材２１に水平補強材１７（ジオテキスタイル、例えばテンサー（商品名）等の敷網材等）の前端を取り付ける構成である。ここで、第１の変形例が実施例１と異なる点について説明する。
【００３５】
この第１の変形例が実施例１と異なる点は、図４に示すように、連結材２１が、左右の垂直部１５と、左右の垂直部１５の上端を橋絡する橋絡部２２とから全体的にほぼ門型に形成されており、連結材２１の左右の垂直部１５の下端には、夫々背面側に向けてフック部２３が形成されている点である。
【００３６】
この第２の変形例では、図４に示すように、連結材２１をブロック８の係合部１３に係合させる。即ち、連結材２１の橋絡部２２はブロック８の背部１１の根元の部分２４の上面に当接させ、連結材２１の左右の垂直部１５で係合部１３の根元の部分２４を挟みつけるようにさせて、連結材２１をブロック８の係合部１３に係合させる構成としている。
【００３７】
このようにしてブロック８の係合部１３に係合させた連結材２１の左右のフック部２３に、水平補強材１７の前端を掛けて取り付けている。この第２の変形例では水平補強材１７の前端の網目を通して横幅方向に挿通して取り付けられている鉄筋２５に、左右のフック部２３が引っ掛けて取り付けられている。
【００３８】
以上の実施例１及びその第１、２の変形例では、ブロック８の係合部１３に連結材２１を係合させて、この連結材２１に水平補強材１７の前端を取り付ける構成であるから、施工の作業性がよく、水平補強材１７が盛土内に埋設されているから盛土の剪断方向に対する強度が向上し、しかもブロック８が連結材２１を介して水平補強材１７で背面側に引っ張られているから前側（谷側）に抜け出るようなことが防止できる。
【００３９】
（実施例２）
図５は、実施例２を説明する図である。実施例２のブロック壁は、底面地盤３０上に複数のブロック２６を横幅方向に配列してブロック列２７を形成するとともに、その上に上方に向けてブロック列２７を複数段積み上げて形成されている。
【００４０】
ブロック２６は、軽量のコンクリート製であり、上下方向に一定の厚みを有するとともに、図５（ａ）に示すように、前部１０、背部１１、及び前部１０と背部１１を橋絡する中間部１２とから平面的に見てＴ字型に形成されている。中間部１２は、前部１０及び背部１１より横幅が狭く形成されている。上記背部１１は、上記前部１０より横幅が小さく形成されている。
【００４１】
そして、このブロック２６は、その底面には断面がほぼ半円形の溝２８が横幅方向（図５（ａ）中の左右方向）に貫通して形成されている。この実施例２では、特に中間部１２の底にほぼ半円形の溝２８が横幅方向に貫通して形成されている。なお、溝２８は、その断面がほぼ半円形でなくても矩形等のその他の形状でもよい。
【００４２】
段積みされたブロック列２７の各段において、横幅方向に配置された複数ブロック２６の溝２８を通して連結材として連結杆２９が挿通されている。ある段のブロック列２７の溝２８に挿通された連結杆２９は、その段より下位の段の上面（最下段のブロック２６は底面地盤３０の上面）に載置された状態で水平且つ横幅方向に伸びるように保持されている。
【００４３】
このようにブロック列２７の溝２８に挿通された連結杆２９に水平補強材３１の前端が、図５（ａ）、（ｂ）に示すように、掛けられて取り付けられている。連結杆２９は、鋼管、鋼製の棒材等を使用する。そして、この水平補強材３１は、盛土６内に埋設される。
【００４４】
この実施例２で使用される水平補強材３１は、ジオテキスタイル、帯状材又は金網等を利用する。このような水平補強材３１を利用した場合は、複数のブロック２６の溝２８を通して挿通されている連結杆２９に、水平補強材３１の前端の網目３２を挿通することにより、上記のとおり、連結杆２９に水平補強材３１の前端が掛けられて取り付けられ、互いに隣接するブロック２６、２６の背部１１、１１の間の隙間３３から背面側に取り出されている。
【００４５】
なお、この実施例２では、ブロック２６は平面的に見てＴ字型に形成されているが、その底面に後述する溝２８が形成されていれば、特に平面的に見てＴ字型でなくても、例えば矩形、台形等その他の形状でもよい。但し、この場合は、ブロック２６の溝２８から背部側にかけてその底部が水平補強材３１に載って若干前方に傾いてしまうので、これを防止するために、ブロック２６を配置した際に、溝２８から背部側にかけての底部下方に水平補強材３１の厚さ分だけのスペースができるように、ブロック２６は、溝２８から背部側にかけて上下方向に薄く形成されている必要がある。
【００４６】
実施例２の補強土擁壁を施工する工法を以下説明する。
（１）補強土擁壁を施工する底面地盤３１の前縁に沿って複数のブロック２６を横幅方向に配置して最下段のブロック列２７を形成する。そして、水平補強材３１、例えばテンサーの前端をブロック列２７の近くに配置する。その後で、連結杆２９を、ブロック列２７の複数のブロック２６の溝２８を通し、且つ水平補強材３１の前端の網目３２通して、挿通して取り付ける。
【００４７】
（２）最下段のブロック列２７の背後の底面地盤３０上に水平補強材３１を敷設して、この水平補強材３１の上からブロック２６の高さまで盛土６が盛られる。これにより、ブロック列２７が水平補強材３１でしっかりと固定されて補強されるとともに、水平補強材３１が盛土６の剪断方向のズレ止めを防止する。
【００４８】
（３）このようにして施工された最下段のブロック列２７の上に、２段目のブロック列２７を積み重ねる。なお、ブロック２６を空積みする場合は、このように上位のブロック列２７を積み上げていけばよいが、上位のブロック列２７を積み上げる前に、複数のブロック２６の相互の間で形成される隙間にコンクリートを充填して、複数のブロック２６を相互に強固に固定してもよい。
【００４９】
（４）２段目のブロック列２７についても、最下段のブロック列２７と同様に、連結杆２９を、複数のブロック２６の溝２８を通し、且つ水平補強材３１の前端の網目３２を通して挿通し、盛土６上に水平補強材３１を敷設する。この水平補強材３１の上に２段目の盛土６を盛る。このようにして、次々と上段のブロック列２７及び水平補強材３１を配設し、盛土６を盛り、図１に示すような補強土擁壁を施工する。
【００５０】
なお、連結杆２９をブロック列２７に取り付ける場合、上記工法とは異なり、水平補強材３１の前端の網目３２通して連結杆２９を挿通して取り付けてから、水平補強材３１の前端を取り付けた連結杆２９を、底面地盤３０における補強土擁壁を施工する前縁に沿って横幅方向に配置し、この状態で、連結杆２９がブロック２６の溝２８に入るように、最下段の複数のブロック２６を横幅方向に配置するようにしてもよい。
【００５１】
（実施例３）
図６は本発明に係る補強土擁壁の実施例３を説明する図である。実施例３は、実施例２とほぼ同じ構成であり、ブロック２６、ブロック列２７及びブロック壁は実施例２と同じ構造であり、同じ工法で施工する。実施例３が実施例２と異なる点は、連結材と水平補強材の構成ある。
【００５２】
即ち、実施例２では水平補強材３１としてジオテキスタイル、例えばテンサー（商品名）等の敷網材を配設したが、実施例３では、水平補強材３４として補強杆を設け、この水平補強材３４の前端を連結材である前面連結材３５でブロック列２７に連結し、補強材３４の後端を背面連結材３６に連結した構成で異なる。以下、実施例３について、実施例２と異なる構成のみ説明する。
【００５３】
ブロック２６は、実施例２と同じ構造であり、各ブロック列２７において、横幅方向に並列された複数のブロック２６のうち、互いに左右隣接する二つのブロック２６、２６の組毎に、その溝２８、２８に前面連結材３５が挿入されて架け渡され、その段の下位の盛土６（最下段の場合は底面地盤３０）上に配置されている。
【００５４】
左右隣接する二つのブロック２６、２６の背部１１、１１の隙間３３から水平補強材３４が背面側に伸び出すように配置されている。そして、ブロック列２７の背面側に、前面連結材３５から所定の距離だけ離れて前面連結材３５と平行に背面連結材３６が配置されている。
【００５５】
図６（ａ）、（ｂ）に示すように、前面連結材３５に水平補強材３４の前端が取り付けられ、背面連結材３６に水平補強材３４の後端が取り付けられており、これにより、前面連結材３５と背面連結材３６の間に水平補強材３４が架設されて設けられる構成となる。
【００５６】
前面連結材３５及び背面連結材３６は、夫々水平部３７と垂直部３８とから断面Ｌ形に形成されており、例えばＬ形鋼等の材料で形成される。水平補強材３４としての補強杆は、例えば鋼製の棒材で形成され、その前端及び後端にはネジが形成されている。
【００５７】
水平補強材３４の前端を前面連結材３５に取り付ける場合には、前面連結材３５の垂直部３８の取付孔に水平補強材３４の前端を挿入し前端側からロックナット３９で固定する。水平補強材３４の後端を後面連結材２１に取り付ける場合には、背面連結材３６の垂直部３８の取付孔に水平補強材３４の後端を挿入し後端側からロックナット３９で固定する。
【００５８】
水平補強材３４及び背面連結材３６は、下位の盛土６（最下位の段では底面地盤３０）上に置かれているが、上から盛り土が被せられて盛土６内に埋設されて固定される。これにより、ブロック列２７は、背面側で支持されて補強される。そして、前面連結材３５は、その垂直部３８が一対のブロック２６の溝２８に係合し、ブロック２６からはずれることはない。
【００５９】
以上、本発明に係る補強土擁壁の実施形態を実施例に基づいて説明したが、本発明は特にこのような実施例に限定されることなく、特許請求の範囲記載の技術的事項の範囲内でいろいろな実施例があることはいうまでもない。
【００６０】
【発明の効果】
以上のような構成の本発明に係る補強土擁壁によれば、次のような効果を奏する。
（１）ブロックを利用し、ブロックと補強材との接続を簡単な構造としたので、部品点数が少なくなり、補強土擁壁を低コストでしかも、比較的に簡単な作業で見栄えが良く施工することが可能となる。又、複数のブロックを組み合わせたので、部分的な損傷に対しても比較的補修作業がしやすい。
【００６１】
（２）ブロックと水平補強材（敷網材等）とを相互補完的（相乗的）に組み合わせることにより、ブロックで壁面を形成し、一種の盛土用の型枠として機能させ、水平補強材でブロックを背面から補強するとともに、盛土中に複数段において水平補強材を埋設して、ブロック壁に作用する土圧や、水平補強材が土との摩擦によって作用される力を、一体となって受け、土圧を効果的に低減し盛土をより安定させる。このようにして、水平補強材でブロックと敷網材を相互補完的に作用させて、粘り強い、外部拘束型の極めて強度及び安定性の大きい盛土構造の補強土擁壁を実現することができる。
【図面の簡単な説明】
【図１】本発明の補強土擁壁の全体構成を示す図である。
【図２】本発明の補強土擁壁の実施例１のブロック壁を構成するブロック及び連結材を説明する図であり、（ａ）は平面図、（ｂ）は側面図である。
【図３】本発明の補強土擁壁の実施例１の第１の変形例を示す図である。
【図４】本発明の補強土擁壁の実施例１の第２の変形例を示す図である。
【図５】本発明の補強土擁壁の実施例２のブロック壁を構成するブロック及び連結材を説明する図であり、（ａ）は平面図、（ｂ）は側面図である。
【図６】本発明の補強土擁壁の実施例３のブロック壁を構成するブロック及び連結材を説明する図であり、（ａ）は平面図、（ｂ）は側面図である。
【符号の説明】
１  補強土擁壁
２、３０  底面地盤
３、８、２６  ブロック
４  ブロック壁
５  底面地盤
６  盛土
７  水平補強材
９、２７  ブロック列
１０  前部
１１  背部
１２  中間部
１３  係合部
１４、１９、２１  連結材
１５  連結材の垂直部
１６  連結材のＵ型部
１７  水平補強材
１８  ブロック間の隙間
２０  鉄筋
２２  橋絡部
２３  フック部
２４  背部の根元の部分
２５  鉄筋
２８  ブロックの底面の半円形の溝
２９  連結杆
３１  水平補強材
３２  網目
３３  背部の間の隙間
３４  水平補強材
３５  前面連結材
３６  背面連結材
３７  前面及び背面連結材の水平部
３８  垂直部
３９  ロックナット
【図１】
2004218265.tif 000003
【図２】
2004218265.tif 000004
【図３】
2004218265.tif 000005
【図４】
2004218265.tif 000006
【図５】
2004218265.tif 000007
【図６】
2004218265.tif 000008